(57)【要約】      （修正有）【課題】太陽電池パネルの発電量を確実に低減して、作業者が安全に作業可能な太陽電池パネル用の太陽光遮断具を提供する。【解決手段】太陽電池パネル用の太陽光遮断具１は、シート状の本体部３を有し、本体部３は、少なくとも太陽電池パネルの発生電力量が、作業者が作業を安全に可能な程度まで、太陽光を低減するように形成されている。【選択図】図２
2014022470.tif 000002
【特許請求の範囲】
【請求項１】
シート状の本体部を有し、
前記本体部は、
少なくとも太陽電池パネルの発生電力量が、作業者が作業を安全に可能な程度まで、
太陽光を低減するように形成されている
太陽電池パネル用の太陽光遮断具。
【請求項２】
前記太陽光遮断具は、
他の太陽光遮断具と、接続可能に形成されている
請求項１に記載の太陽光遮断具。
【請求項３】
前記他の太陽光遮断具との接続は、線ファスナー、又は、ハトメによってなされる
請求項２に記載の太陽光遮断具。
【請求項４】
前記他の太陽光遮断具との接続する部分には、
前記他の太陽光遮断具との接続する際に、
前記太陽光遮断具と前記他の太陽光遮断具とがオーバーラップして２重となるオーバーラップ部が
形成されている
請求項２又は３に記載の太陽光遮断具。
【請求項５】
前記他の太陽光遮断具との接続は、線ファスナーによってなされ、
前記オーバーラップ部は、前記線ファスナーで接続される対辺の１方のみに形成される
請求項４に記載の太陽光遮断具。
【請求項６】
前記本体部は四角形状を有し、
前記オーバーラップ部は対辺の１方のみに形成されている
請求項４に記載の太陽光遮断具。
【請求項７】
前記太陽光遮断具と前記他の太陽光遮断具とは同一の形状を有する
請求項２〜６いずれか１項に記載の太陽光遮断具。
【発明の詳細な説明】
【技術分野】
【０００１】
本発明は、作業者が作業する際に危険ではない程度まで太陽電池パネルの発電量を低減する太陽光遮断具に関する。
【背景技術】
【０００２】
太陽電池パネルの設置工事の際、又は、太陽電池パネルの保守・修理の際に、太陽電池パネルの表面に布等をかぶせて、太陽電池パネルの発電量を低減して、作業者が作業することが行われている。
【０００３】
特許文献１〜特許文献３には、自動車に対して用いる太陽光遮断具の技術が開示されている。
【先行技術文献】
【特許文献】
【０００４】
【特許文献１】特開２００６―３６１６０号公報
【特許文献２】実用新案登録第３１１３９７８号公報
【特許文献３】実開昭６２―４６２２３号公報
【発明の概要】
【発明が解決しようとする課題】
【０００５】
しかしながら、この布等は専用の物ではなくありあわせの物であり、太陽電池パネルの発電量を作業者が作業する際に安全なレベルまで低減しているかは、作業者の経験と勘に頼るのみであったため、作業者が安全に作業できるという保証が低いものであった。
【０００６】
本発明は、上記課題に鑑みてなされたものであり、その課題の一例は、太陽電池パネルの発電量を確実に低減して、作業者が安全に作業可能な太陽電池パネル用の太陽光遮断具を提供することにある。
【課題を解決するための手段】
【０００７】
本発明の太陽電池パネル用の太陽光遮断具は、シート状の本体部を有し、前記本体部は、少なくとも太陽電池パネルの発生電力量が、作業者が作業を安全に可能な程度まで、太陽光を低減するように形成されている。
【０００８】
好適には、前記太陽光遮断具は、同一の形状を有する他の太陽光遮断具と、接続可能に形成されている。
【０００９】
好適には、前記他の太陽光遮断具との接続は、線ファスナー、又は、ハトメによってなされる。
【００１０】
好適には、前記他の太陽光遮断具との接続する部分には、前記他の太陽光遮断具との接続する際に、前記太陽光遮断具と前記他の太陽光遮断具とがオーバーラップして２重となるオーバーラップ部が形成されている。
【００１１】
好適には、前記他の太陽光遮断具との接続は、線ファスナーによってなされ、
前記オーバーラップ部は、前記線ファスナーで接続される対辺の１方のみに形成される
請求項４に記載の太陽光遮断具。
【００１２】
好適には、前記本体部は四角形状を有し、前記オーバーラップ部は対辺の１方のみに形成されている。
【００１３】
好適には、太陽光遮断具と前記他の太陽光遮断具とは同一の形状を有する。
【発明の効果】
【００１４】
本発明における太陽電池パネル用の太陽光遮断具によって、太陽電池パネルの発電量を確実に低減して、作業者が安全に作業可能な太陽電池パネル用の太陽光遮断具を提供することが可能となる。
【図面の簡単な説明】
【００１５】
【図１】本発明の太陽電池パネル用の太陽光遮断具の使用状況を説明する説明図である。
【図２】太陽光遮断具の構造を説明する説明図である。
【図３】太陽光遮断具を太陽電池パネルに対して載置する方法の説明図である。
【発明を実施するための形態】
【００１６】
図１は、本発明の太陽電池パネル１０５用の太陽光遮断具１の使用状況を説明する説明図である。
【００１７】
以下、本発明の実施形態を、図１を用いて詳細に説明する。
図１のように、各家庭の家１０１の屋根１０３等に太陽電池パネル１０５が配置されている。もっとも、太陽電池パネルの配置はこれに限定する趣旨ではなく、必要に応じて必要な形態で配置されていてよい。
この太陽電池パネル１０５は、屋根１０３に複数枚配置されていることが通常である。
そして、何枚配置されるか、及び、太陽電池パネル１０５の配置方向をどのようにするかは、太陽電池パネルの設置者の要望や、屋根１０３の形状などに依存する。
そのため、太陽電池パネル１０５へ到達する光を遮断する装置である太陽光遮断具１が必要とする形状はその太陽電池パネル１０５の施設ごとに全く異なることになる。
図１では、手前側の２枚にのみ太陽光遮断具１が覆いかぶさっている状態を記載している。もっとも、通常の作業（設置作業、修理作業、保守作業等）を行う場合には、全ての太陽電池パネル１０５を覆った状態で作業することが通常である。
【００１８】
太陽電池パネル１０５は、昇圧ユニット、接続ユニット、分電盤などに電気的に接続される。
【００１９】
図２は、太陽光遮断具１の構造を説明する説明図である。
【００２０】
図２の（ａ）のように、太陽光遮断具１は、長方形のシート状の形状を有している。
この太陽光遮断具１は、同一の形状を有する他の太陽光遮断具１と接続可能に形成されている。なお、他の太陽光遮断具１との接続は、線ファスナー及びハトメによってなされる。
このように、複数の太陽光遮断具１が接続されることによって、施設ごとに異なる太陽電池パネルの配置（形状）にフレキシブルに対応可能となる。
なお、太陽光遮断具１は、他の同一の形状の太陽光遮断具１と接続可能とすることを念頭に設計されているが、特殊な形状の太陽電池パネル１０５に対応するために、例えば、他の三角形、台形、平行四辺形、縦横比の異なる太陽光遮断具１と接続することも場合よっては可能である。
【００２１】
太陽光遮断具１は、本体部３、長手方向補強部５、短手方向補強部７、第１線ファスナー１１、及び、第２線ファスナー９を有している。
【００２２】
本体部３は、長方形のシート上の形状を有している。
そして、本体部３は、太陽電池パネル１０５が発電する発電量を一定以下に低下させる程度の光の透過率の材料から形成される。本体部３を、黒色の材料から形成して光を本体部が吸収するように形成しても良い。逆に、本体部３を、光を反射させる白色、又は、全反射する材料から形成してもよい。
また、本体部３は、１枚のシートから形成しても良いし、２枚又は２枚以上のシートから形成しても良い。
２枚以上とする場合には、太陽電池パネル１０５に面するのとは反対側を反射性の高い材料から形成することがより好適である。
【００２３】
長方形形状の本体部３の長手方向の両端部には、長手方向補強部５がそれぞれ接続されている。
長手方向補強部５のうち、長手方向オーバーラップ部１５の無い方（図２の（ａ）において、紙面上側位置のもの）を第１長手方向補強部５ａと表記する。
逆に、長手方向オーバーラップ部１５のある方（図２の（ａ）において、紙面下側位置のもの）を第２長手方向補強部５ｂと表記する。
長手方向補強部５は、他の太陽光遮断具１と接続するために形成されている。
つまり、この部分を強化することによって、他の太陽光遮断具１と接続等された場合に裂ける等が生ずることを防いでいる。
なお、長手方向補強部５は、他の太陽光遮断具１と接続するために主に形成されるものであるが、図３のところで説明するが、太陽光遮断具１を太陽電池パネル１０５上に適切に載置した際に、太陽光遮断具１が変形等して、適切に載置できなくならないために形成される。
長手方向補強部５は、本体部３よりも強度が高く形成される。
具体的には、本体部３よりも強度が高い材質によって形成しても良いし、本体部３と同一の材質であっても２重以上にして強度を上げる方法もある。
オーバーラップ部（短手方向オーバーラップ部１３、長手方向オーバーラップ部１５）は、少なくとも、本体部３の線ファスナー１２が形成されている本体部３の一対の辺のうち、一辺に形成されていれば足りる。
なぜなら、線ファスナー１２による接続の場合にもっとも、太陽光を遮断する必要性が高い場合が多いからである。
逆に、この位置以外にはオーバーラップ部が設けられていなくても良い。
もっとも、本体部３長手方向の両端位置（長手方向補強部）の両方に、オーバーラップ部を設けてもよい。
なぜなら、ハトメでの接続については、他の太陽光遮断具１と接続する際に、他の太陽光遮断具との接続する方法は複数考えられる。そのため、他の太陽光遮断具との接続距離は変更可能であり、ユーザの使用方法に応じて、オーバーラップ部を必要とする場合と、必要としない場合が考えられるからである。  
【００２４】
長手方向補強部５には、長手方向ハトメ１７が形成される。より具体的には、第１長手方向補強部５ａには、２つの第１長手方向ハトメ１７ａが形成され、第２長手方向補強部５ｂには、２つの第２長手方向ハトメ１７ｂが形成される。
後述する４隅にそれぞれ形成される隅ハトメ２１と、この長手方向ハトメは３等分するように等間隔に配置される。
長手方向ハトメ１７は、長手方向補強部５を貫通する貫通穴形状であり。その周りは、金属等によって補強されている。この金属等は必須ではなく、この長手方向ハトメ１７の強度は他の太陽光遮断具１との接続、又は、太陽光遮断具１を太陽電池パネル１０５に対して載置するのに必要な程度の強度を有していれば足りる（図３の説明部分も参照のこと）。
【００２５】
長手方向補強部５の太陽電池パネル１０５と接する側には、本体部３から伸びる長手方向オーバーラップ部１５が延びている。
この長手方向オーバーラップ部１５は、本体部３と同一の材料で形成されている。もっとも、本体部３と同一の材質であることは必須ではない。
この長手方向オーバーラップ部１５は、太陽光遮断具１と他の太陽光遮断具１とを長手方向ハトメ１７を用いて接続した場合に、接続部分に隙間が空いて太陽電池パネル１０５が発電を行うことを防止するために設けられている。
太陽光遮断具１と他の太陽光遮断具１との接続は、Ｓ字フック、カラビナ、紐、ゴム紐等で行うことが可能である。
【００２６】
長方形形状の本体部３の短手方向の両端部には、短手方向補強部７がそれぞれ接続されている。
短手方向補強部７のうち、短手方向オーバーラップ部１３の無い方（図２の（ａ）において、紙面左側位置のもの）を第１短手方向補強部７ａと表記する。
逆に、短手方向オーバーラップ部１３のある方（図２の（ａ）において、紙面右側位置のもの）を第２短手方向補強部７ｂと表記する。
短手方向補強部７は、他の太陽光遮断具１と接続するために形成されている。
つまり、この部分を強化することによって、他の太陽光遮断具１と接続等された場合に裂ける等が生ずることを防いでいる。
なお、短手方向補強部７は、他の太陽光遮断具１と接続するために主に形成されるものであるが、図３のところで説明するが、太陽光遮断具１を太陽電池パネル１０５上に適切に載置した際に、太陽光遮断具１が変形等して、適切に載置できなくならないために形成される。
短手方向補強部７は、本体部３よりも強度が高く形成される。
具体的には、本体部３よりも強度が高い材質によって形成しても良いし、本体部３と同一の材質であっても２重以上にして強度を上げる方法もある。
【００２７】
短手方向補強部７には、短手方向ハトメ１９が形成される。より具体的には、第１短手方向補強部７ａには、２つの第１短手方向ハトメ１９ａが形成され、第２短手方向補強部７ｂには、２つの第２短手方向ハトメ１９ｂが形成される。
後述する４隅にそれぞれ形成される隅ハトメ２１と、この長手方向ハトメは３等分するように等間隔に配置される。
短手方向ハトメ１９は、短手方向補強部７を貫通する貫通穴形状であり。その周りは、金属等によって補強されている。この金属等は必須ではなく、この短手方向ハトメ１９の強度は他の太陽光遮断具１との接続、又は、太陽光遮断具１を太陽電池パネル１０５に対して載置するのに必要な程度の強度を有していれば足りる（図３の説明部分も参照のこと）。
なお、ハトメの個数、位置、大きさ等は、必要に応じて任意に変更可能である。具体的には、４等分、５等分しても良い。また、例えば、隅ハトメ２１のみであっても良いし、逆に、隅ハトメ２１をなくして長手方向ハトメ１７のみ、短手方向ハトメ１９のみから形成しても良い。
また、例えば、長手方向ハトメ１７のみであっても、逆に、短手方向ハトメ１９のみであってもよい。
さらに、長手方向ハトメ１７、短手方向ハトメ１９、隅ハトメ２１の形状、大きさ、強度も同一である必然性は無く、異なっていても良い。
【００２８】
長手方向補強部５の太陽電池パネル１０５と接する側には、本体部３から伸びる短手方向オーバーラップ部１３が延びている。
この短手方向オーバーラップ部１３は、本体部３と同一の材料で形成されている。もっとも、本体部３と同一の材質であることは必須ではない。
この短手方向オーバーラップ部１３は、太陽光遮断具１と他の太陽光遮断具１とを短手方向ハトメ１９を用いて接続した場合に、接続部分に隙間が空いて太陽電池パネル１０５が発電を行うことを防止するために設けられている。
太陽光遮断具１と他の太陽光遮断具１との接続は、線ファスナー、Ｓ字フック、カラビナ、紐、ゴム紐等で行うことが可能である。
また、太陽光遮断具１と他の太陽光遮断具１との接続は、面ファスナー、テープ等で行うことも可能である。
【００２９】
短手方向補強部７には、線ファスナー１２が配置されている。
より具体的には、第１短手方向補強部７ａには、第１線ファスナー１１が配置されている。第２短手方向補強部７ｂには、第２線ファスナー９が配置されている。
また、第２線ファスナー９には、スライダー２３が配置されている。
この、線ファスナー１２を用いて、短手方向における、太陽光遮断具１と他の太陽光遮断具１は接合可能である。
つまり、太陽光遮断具１と他の太陽光遮断具１の短手方向の接続には、短手方向ハトメ１９を用いる接続と線ファスナー１２を用いる接続の２つを利用することが可能である。
作業者は、必要に応じて、短手方向ハトメ１９を用いる接続と線ファスナー１２を用いる接続を任意に選択が可能となっている。
なお、線ファスナー１２は、長手方向のみに設けることも、長手方向及び短手方向の両方に設けることも可能である。また、線ファスナー１２を設けずに、ハトメのみを設けることも可能である。
同様に、ハトメについても、長手方向のみに設けることも、長手方向及び短手方向の両方に設けることも可能である。
【００３０】
ハトメを短手方向オーバーラップ部１３及び長手方向オーバーラップ部１５などに設けることも可能である。
【００３１】
図３は、太陽光遮断具１を太陽電池パネル１０５に対して載置する方法の説明図である。より具体的には、図３は、太陽電池パネル１０５が水平な屋根１０３を有する家１０１に配置されている場合に、太陽光遮断具１を載置する方法の説明図である。
【００３２】
屋根１０３等の突起部等にクランプ１０９を固定し、このクランプ１０９に形成された引掛部１０９ａに、ゴム紐１１１、紐等を引掛ける。
このゴム紐１１１の引掛部１０９ａ側とは反対側端部には、Ｓ字フック（カラビナ）が接続されている。
そして、Ｓ字フックは、第１長手方向ハトメ１７ａに引掛けられる。
このように形成されていることから、作業者は非常に容易に、太陽光遮断具１を太陽電池パネル１０５に対して適切に載置することができる。
【００３３】
＜他の実施形態＞
また、本発明は以上の実施形態に限定されるものではなく、様々な変化した構造、構成、制御を行っていても良い。
例えば、ハトメと線ファスナー１２の位置関係、本体部３の形状、オーバーラップ部の位置・形状等は任意に変更可能である。
【００３４】
＜実施形態の構成及び効果＞
太陽電池パネル１０５用の太陽光遮断具１は、シート状の本体部３を有し、本体部３は、少なくとも太陽電池パネル１０５の発生電力量が、作業者が作業を安全に可能な程度まで、太陽光を低減するように形成されている。
このような構成を有することから、作業者が安全に設置、保守、保全作業を行うことが可能となる。
【００３５】
太陽光遮断具１は、他の太陽光遮断具１と、接続可能に形成されている。
このような構成を有することから、作業を行う施設（大きさ、形状）に応じて、太陽光の遮断を適切に行うことが可能となる。
【００３６】
他の太陽光遮断具との接続は、（少なくとも）線ファスナー、又は、ハトメによってなされる。
このような構成を有することから、作業者は必要に応じて接続の方法を適切に選択することができる。
また、極めて容易に他の太陽光遮断具１との接続をしたり、これを解除したりすることができる。
【００３７】
他の太陽光遮断具１との接続する部分には、他の太陽光遮断具１との接続する際に、太陽光遮断具１と他の太陽光遮断具１とがオーバーラップして２重となるオーバーラップ部（短手方向オーバーラップ部１３、長手方向オーバーラップ部１５）が形成されている。
このような構成を有することから、接続部分から光が太陽電池パネル１０５に太陽光が差し込むことを防ぐことができる。
【００３８】
他の太陽光遮断具１との接続は、線ファスナー１２によってなされ、オーバーラップ部は、線ファスナーで接続される対辺の１方のみに形成される。
このような構成を有することから、太陽光を透過させる可能性の高い線ファスナー１２部分における太陽光の遮蔽を確実に行うことができる。
【００３９】
本体部３は四角形状を有し、オーバーラップ部（短手方向オーバーラップ部１３、長手方向オーバーラップ部１５）は対辺の１方のみに形成されている。
このような構成を有することから、無駄にオーバーラップ部（短手方向オーバーラップ部１３、長手方向オーバーラップ部１５）を形成する必要がなくなる。
【００４０】
太陽光遮断具１と他の太陽光遮断具１とは同一の形状を有する。
このような構成を有することから、太陽光遮断具１の取り扱いを容易にすることができる。
【符号の説明】
【００４１】
１      太陽光遮断具
３      本体部
５      長手方向補強部
５ａ    第１長手方向補強部
５ｂ    第２長手方向補強部
７      短手方向補強部
７ａ    第１短手方向補強部
７ｂ    第２短手方向補強部
９      第２線ファスナー
１１    第１線ファスナー
１２    線ファスナー
１３    短手方向オーバーラップ部
１５    長手方向オーバーラップ部
１７    長手方向ハトメ
１７ａ  第１長手方向ハトメ
１７ｂ  第２長手方向ハトメ
１９    短手方向ハトメ
１９ａ  第１短手方向ハトメ
１９ｂ  第２短手方向ハトメ
２１    隅ハトメ
２３    スライダー
１０５  太陽電池パネル
【図１】
2014022470.tif 000003
【図２】
2014022470.tif 000004
【図３】
2014022470.tif 000005